(57)【特許請求の範囲】
【請求項１】
略直方体形状で、仕切壁によって分割され、前記仕切壁に形成した操作孔によって互いに連通された第１空間部及び第２空間部を有し、前記第１空間部は一方の長辺側が開口し、前記第２空間部は前記第１空間部とは反対の長辺側と前記仕切壁の対向面側が開口する合成樹脂材料からなるベースと、
前記第１空間部内に配置される固定接点端子及び可動接点端子を有し、前記固定接点端子に設けた固定接点に対して前記可動接点端子の可動接点が接離可能に対向する接点機構部と、
前記第２空間部内に配置され、鉄心にスプールを介してコイルを巻回してなり、前記コイルに通電することにより励磁して可動鉄片を回動させ、前記操作孔を介して前記接点機構部を駆動させる電磁石ブロックと、
前記第１空間部内に配置され、前記可動鉄片に押圧され、一方の短辺部を中心として回動することにより、他方の短辺側で前記可動接点端子側に突出する押圧部で前記可動接点よりも支軸側を押圧するカードと、
を備え、
前記カードは、前記押圧部よりも他方の短辺側が、前記可動接点端子の可動接点を設けた位置とは反対側に屈曲して、前記可動接点端子との干渉を回避する逃がし用屈曲部を有することを特徴とする電磁継電器。
【請求項２】
前記カードは、前記第１空間部内に接点機構部を配置した状態で、前記可動接点端子の側縁部に摺接して前記第１空間部内に押込可能とする傾斜部を有する突部を備えたことを特徴とする請求項１に記載の電磁継電器。
【請求項３】
前記カードの突部は、前記押圧部よりも突出し、前記第１空間部内に組み付けた状態で、前記可動接点端子の抜止機能を有することを特徴とする請求項２に記載の電磁継電器。
【請求項４】
前記ケースは、第１空間部内に、前記カードの支軸を回転可能に支持する軸受部を備え、
前記カードは、前記支軸の一端側に前記軸受部へのカードの挿入を阻止する突起を有することを特徴とする請求項１から３のいずれか１項に記載の電磁継電器。
【発明の詳細な説明】
【技術分野】
【０００１】
本発明は、電磁継電器に関するものである。
【背景技術】
【０００２】
従来、電磁継電器として、ベースを仕切壁によって上方側空間部と下方側空間部とに分割し、各空間部をベースの異なる側方へと開口させ、上方側空間部に電磁石ブロックを配置する一方、下方側空間部に接点機構部を配置することにより、両部材の絶縁性能を高めたものが公知である（例えば、特許文献１参照）。
【０００３】
ところで、電磁継電器では、外形寸法を小さく抑えつつ、接点が開放した状態での接点間の絶縁距離を大きくすることが要求されている。
【０００４】
しかしながら、前記従来の電磁継電器では、電磁石ブロックによって駆動する可動鉄片の駆動力をカードを介して接点機構部の可動接点端子に伝達するようにしている。そして、そのカードでの押圧位置が可動接点端子の自由端である。このため、接点間距離を大きくしようとしても、可動接点端子がカードと干渉するという問題がある。
【先行技術文献】
【特許文献】
【０００５】
【特許文献１】特開２００５−２９３９５２号公報
【発明の概要】
【発明が解決しようとする課題】
【０００６】
本発明は、接点間距離を十分に大きくして接点間の絶縁性能を高めることのできる電磁継電器を提供することを課題とする。
【課題を解決するための手段】
【０００７】
本発明は、前記課題を解決するための手段として、
電磁継電器を、
略直方体形状で、仕切壁によって分割され、前記仕切壁に形成した操作孔によって互いに連通された第１空間部及び第２空間部を有し、前記第１空間部は一方の長辺側が開口し、前記第２空間部は前記第１空間部とは反対の長辺側と前記仕切壁の対向面側が開口する合成樹脂材料からなるベースと、
前記第１空間部内に配置される固定接点端子及び可動接点端子を有し、前記固定接点端子に設けた固定接点に対して前記可動接点端子の可動接点が接離可能に対向する接点機構部と、
前記第２空間部内に配置され、鉄心にスプールを介してコイルを巻回してなり、前記コイルに通電することにより励磁して可動鉄片を回動させ、前記操作孔を介して前記接点機構部を駆動させる電磁石ブロックと、
前記第１空間部内に配置され、前記可動鉄片に押圧され、一方の短辺部を中心として回動することにより、他方の短辺側で前記可動接点端子側に突出する押圧部で前記可動接点よりも支軸側を押圧するカードと、
を備え、
前記カードは、前記押圧部よりも他方の短辺側が、前記可動接点端子の可動接点を設けた位置とは反対側に屈曲して、前記可動接点端子との干渉を回避する逃がし用屈曲部を有するようにしたものである。
【０００８】
この構成により、電磁石ブロックを励磁して可動鉄片を回動させることにより、支軸を中心としてカードを回動させると、このカードは、可動接点よりも支軸側で可動接点端子を押圧して駆動させる。しかも、可動接点端子を押圧するのは、カードから突出した押圧部である。このため、カードによる回動量を抑えても、可動接点の変位量を大きく取ることができる。つまり、接点間距離を大きくしても十分に接点の開閉動作を行わせることが可能となる。また、カードの回動中心を変更することなく、より一層、接点間距離を大きく取ることができる。カードが絶縁壁としての役割も果たすので、操作孔の存在にも拘わらず、接点の開閉部分と電磁石ブロックとの間の絶縁距離も確保することが可能となる。
【００１１】
前記カードは、前記第１空間部内に接点機構部を配置した状態で、前記可動接点端子の側縁部に摺接して前記第１空間部内に押込可能とする傾斜部を有する突部を備えるのが好ましい。
【００１２】
この構成により、ベースにカードを組み付ける際、先に組み付けた可動接点端子を、傾斜部で押圧して徐々に固定接点端子側へと変形させることができる。したがって、接点間距離を十分に大きく取ったとしても、カードを無理なく組み付けることが可能となる。
【００１３】
前記カードの突部は、前記押圧部よりも突出し、前記第１空間部内に組み付けた状態で、前記可動接点端子の抜止機能を有するのが好ましい。
【００１４】
この構成により、カードの突部は、傾斜部で先に組み付けた可動接点端子を変形させて組み付けやすくするだけでなく、組付後は可動接点端子の脱落を防止する機能をも発揮させることが可能となる。
【００１５】
前記ケースは、第１空間部内に、前記カードの支軸を回転可能に支持する軸受部を備え、
前記カードは、前記支軸の一端側に前記軸受部へのカードの挿入を阻止する突起を有するのが好ましい。
【００１６】
この構成により、ベースに対してカードを誤った方向で組み付けようとしても、突起によって阻止されるので、作業者は組付方向を気にすることなく安心して組付作業を行うことができる。
【発明の効果】
【００１７】
本発明によれば、カードに可動接点よりも支軸側で可動接点端子を押圧する押圧部を形成するようにしたので、カードの回転中心である支軸を変更することなく、可動接点端子の変位量を大きくすることができる。したがって、接点間距離を大きくしても、十分に接点を開放状態から閉成状態へと移動させることができ、接点開閉時の絶縁性能を高めることが可能となる。
【図面の簡単な説明】
【００１８】
【図１】本実施形態に係る電磁継電器のベースからケースを外した状態を示す斜視図である。
【図２】図１の分解斜視図である。
【図３】図２を反対側から見た状態を示す分解斜視図である。
【図４】（ａ）は図２と同じ側から見たベースの斜視図、（ｂ）は図３と同じ側から見たベースの斜視図である。
【図５】図４のベースに接点機構部を組み付けた状態を示す斜視図である。
【図６】図１のベースにケース以外の部品を組み付けた状態を示す正面図である。
【図７】図２の電磁石ブロックの斜視図である。
【図８】図７の電磁石ブロックの分解斜視図である。
【図９】（ａ）は図２のカードの斜視図、（ｂ）は（ａ）のカードを下方側から見た状態を示す斜視図である。
【発明を実施するための形態】
【００１９】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物或いはその用途を制限することを意図するものではない。
【００２０】
（１．全体構成）
本実施形態にかかる電磁継電器は、図１から図３に示すように、大略、ベース１に、接点機構部２と、電磁石ブロック３とを取り付け、これらをケース４で被覆する構成である。電磁石ブロック３による駆動力は可動鉄片５及びカード６を介して接点機構部２の可動接点端子５３に伝達されるようになっている。
【００２１】
（１−１．ベース１）
ベース１は、図２、図３、詳しくは図４（ａ）、（ｂ）に示すように、合成樹脂材料を成形加工することにより略直方体形状としたものである（以下、長辺に沿って長手方向に延びる方向をＸ軸、短辺に沿って短手方向に延びる方向をＹ軸、高さ方向に延びる方向をＺ軸として説明する）。
【００２２】
ベース１は、ＸＹ平面上に形成される仕切壁９によってＺ軸方向に２分割され、第１空間部７（下方側空間部）と第２空間部８（上方側空間部）とがそれぞれ形成されている。仕切壁９には、平面視矩形状の操作孔１０が形成され、第１空間部７と第２空間部８とを連通している。
【００２３】
第１空間部７は、底壁１１、両端壁（第１端壁１２及び第２端壁１３）及び側壁（第１側壁１４）に囲まれてＹ軸の一方（Ｙ´方向）にのみ開口している。底壁１１は、一端（Ｘ方向）側上面が他端（Ｘ´方向）側上面に比べて窪んだ段付き形状となっている。
【００２４】
第１側壁１４には、開口部１４ａが形成され、図４（ｂ）に示す状態から、第２空間部８の電磁石ブロック３と接点機構部２とを同時に視認可能となっている。また、第１側壁１４の両端側にはＺ軸方向に延びるガイド溝１４ｂ、１４ｃが形成されている。各ガイド溝１４ｂ、１４ｃには、後述する電磁石ブロック３のコイル端子用保持部６８が位置決めされる。
【００２５】
第１空間部７内には、一端側に位置する固定接点端子取付部１５と、他端側底面に位置する可動接点端子取付部１６と、他端側上面に位置するカード支持部１７とがそれぞれ形成されている。
【００２６】
固定接点端子取付部１５は、第１圧入受部１８と第２圧入受部１９を備える。
【００２７】
第１圧入受部１８は、底面から上方（Ｚ方向）に延びる起立壁２０ａの上端から側方に天井壁２０ｂを延設して平面視略Ｌ字形とすることにより形成されるガイド部２０と、天井壁に対向する部分（底面）に形成された一対の突条部（端子用第１突条部２１及び端子用第２突条部２２）とで構成されている。天井壁２０ｂの底面の段部に沿った部分と端子用第１突条部２１とで第１補助圧入受部２３を構成し、天井壁２０ｂの奥側側壁内面に沿った部分と端子用第２突条部２２とで第２補助圧入受部２４を構成する。
【００２８】
第２圧入受部１９は、図６に示すように、第１端壁１２に沿って内側に突出してＸ´方向に延びる天井壁１９ａと、この天井壁１９ａに対向する部分（底面）に形成された突条部（端子用第３突条部２５）とで構成されている。第１端壁１２には、底壁１１との境界部分に切欠部２６が形成され、固定接点端子５２との干渉が回避されている。
【００２９】
可動接点端子取付部１６は、図４（ａ）に示すように、他端側底面から上方に向かって一段高くなった台座部２７を備える。台座部２７には、Ｘ方向側の縁部にガイド壁２８が形成されている。また、台座部２７の上面には、Ｙ軸と平行に延びる３つの突条部（端子用第４突条部２９、端子用第５突条部３０及び端子用第６突条部３１）が形成されている。端子用第４突条部２９及び端子用第６突条部３１は、台座部２７の前方縁部から奥側の第１側壁１４の内面までＹ軸と平行に延びている。端子用第４突条部２９の上方には、第２端壁１３の内面から突出する天井壁１３ａが位置し、両者で第３補助圧入受部３２を構成している。端子用第５突条部３０は、第１側壁１４の内面に形成した正面視矩形状のガイド凹部３３内に位置している。端子用第５突条部３０とガイド凹部３３の天井面とで第４補助圧入受部３４を構成している。
【００３０】
前記各端子用突条部２９、３０、３１は、断面円弧状に形成され、後述する接点機構部２の各端子部５３、５５とは線接触する。この線接触位置は高精度に形成されており、端子用第１突条部２１及び端子用第２突条部２２と、端子用第３突条部２５から端子用第５突条部３０とが、それぞれ同一ＸＹ平面上に位置している。但し、線接触に限らず、平坦面を形成して面接触としてもよい。また、各端子用突条部２９、３０、３１の先端部分（Ｙ´方向）は、先端に向かうに従って徐々に底面に接近する傾斜面２９ａ、３０ａ、３１ａがそれぞれ形成されている。また、前記各天井壁２０ｂ、１９ａ、１３ａの下面には、先端部分（Ｙ´方向）に先端に向かうに従って徐々に底面から離間する傾斜面がそれぞれ形成されている。したがって、ベース１の側方から各端子部５３、５５を挿入すると、各端子部５３、５５は、前記傾斜面に導かれて天井壁２０ｂ、１９ａ、１３ａの下面と突条部２１、２２、２５、２９、３０、３１の線（面）接触位置との間に挟持される。
【００３１】
カード支持部１７は、第１空間部７を構成する仕切壁９の下面に設けた膨出部３５と、その先端部分に設けた、断面略Ｃ字形の支持凹部３６とで構成されている。支持凹部３６には、カード６の支軸７２が回転可能に支持される。膨出部３５には、支持凹部３６に至る傾斜面３６ａが形成されており、カード６の上方側への回動範囲を規制している。
【００３２】
カード支持部１７と開口部１４ａとの間の位置には、第１側壁１４から突出する誤装着防止用突出部３７が形成され、後述するカード６が誤った方向に装着されるのを防止する。また、カード支持部１７とは反対側の天井壁下面には、図６に示すように、一段下がったカード受面３８が形成されている。
【００３３】
第２空間部８は、図４（ｂ）に示すように、Ｙ方向と、Ｚ方向とに開口している。第２空間部８を区画する仕切壁９の上面には、操作孔１０に対してＸ´方向に連続する、ヨーク６５の板バネ６６の加締部分との干渉を回避するための逃がし凹部３９が形成されている。また、仕切壁９の上面は、Ｘ方向及びＹ方向に連続する部分が逃がし凹部３９よりもさらに一段低くなって可動鉄片５との干渉が回避されている。Ｙ方向に連続する部分には、さらにＺ´方向へと傾斜する傾斜面１４ｄが形成されている。
【００３４】
第２空間部８を構成する側壁（第２側壁４０）には、Ｘ軸方向に離れた２箇所の窓部（第１窓部４１及び第２窓部４２）がそれぞれ形成されている。各窓部４１、４２は、仕切壁９の上面と同じ位置からＺ方向に広がった略矩形状の穴である。そして、各窓部４１、４２は、コイル６２と接点開閉部との間の絶縁が十分に確保できる位置に配置されている。具体的には、巻回したコイル６２の両端側であって、後述する第１ガイド片４５及び第２ガイド片４６によって絶縁距離が確保されている。仕切壁９の上面には、各窓部４１、４２から視認可能な位置に、Ｙ，Ｙ´方向に延びる突条部（電磁石用第１突条部４３及び電磁石用第２突条部４４）がそれぞれ形成されている。各突条部４３、４４は、前記各突条部２１、２２、２５、２９、３０、３１と同様に、断面円弧状で、その最上位置は同一水平面上に位置している。各突条部４３、４４上には、後述する電磁石ブロック３のヨーク６５の底面が当接し、対応する各窓部４１、４２を介してヨーク６５の位置を視認可能となる。
【００３５】
第２側壁４０の内面には、Ｘ軸方向に延び、Ｙ方向に突出する第１ガイド片４５と、この第１ガイド片４５からさらにＹ方向に突出する第２ガイド片４６とが形成されている。
【００３６】
第１ガイド片４５の一端（Ｘ´方向）側には第１補助ガイド４７が形成されている。第１ガイド片４５の他端（Ｘ方向）側下面には、前記電磁石用第１突条部４３に対向する電磁石用第３突条部４８が形成され、ヨーク６５を挟持可能な第１挟持部となっている。第１ガイド片４５の下面は、一端側が第２ガイド片４６の下面と面一であり、他端側の突出側の縁部がＹ方向に向かうに従って徐々にＺ方向に傾斜する傾斜面４５ａとなっている。
【００３７】
第２ガイド片４６の下面には、第１ガイド片４５の下面に掛けて、Ｙ軸と平行に延びる一対の電磁石用第４突条部４９及び電磁石用第５突条部５０が所定間隔でそれぞれ形成されている。これら各突条部４９、５０は、前記同様、断面円弧状をしており、先端側には傾斜面が形成され、円弧部分の最も突出した部分が当接位置（当接直線部）となっている。電磁石用第５突条部５０は、前記電磁石用第２突条部４４に対向し、ヨーク６５を挟持可能な第２挟持部を構成している。第２ガイド片４６の下方側には第２補助ガイド５１が突設されている。第２補助ガイド５１は、Ｘ方向に向かうに従って徐々に第２側壁４０の内側面に向かって傾斜している。
【００３８】
なお、ベース１の底壁１１には、図４（ａ）に示すように、第１空間部７が開口する側の２箇所の角部に切欠１１ａ、１１ｂが形成され、そこには、固定接点端子５２及び可動接点端子５３の脚部がそれぞれ配置される。また、第１端壁１２、第１側壁１４及び第２端壁１３の外面には、溝部１ａが形成され、ベース１にケース４を被せてその接合部分をシールする際のシール剤の侵入を防止している。
【００３９】
（１−２．接点機構部２）
接点機構部２は、図２及び図３に示すように、固定接点端子５２と可動接点端子５３とで構成されている。前記固定接点端子５２は、固定端子部５４に固定接点５５を加締固定したものである。可動接点端子５３は、可動端子部５６に接触片部５７の一端側を加締固定し、接触片の他端側に可動接点５８を加締固定したものである。
【００４０】
（１−３．電磁石ブロック３）
電磁石ブロック３は、図７及び図８に示すように、両端に鍔部５９を有するスプール６０の胴部６１にコイル６２を巻回したものである。胴部６１の中心孔６１ａには鉄心６３が圧入される。鉄心６３は、スプール６０の一端側から突出する部分が磁極部６４であり、他端側から突出する部分には略Ｌ字形のヨーク６５の一端部が加締固定されている。ヨーク６５の他端側底面には、板バネ６６が加締固定されている。板バネ６６は、先端部分が屈曲することにより係止部６７が形成されている。また、鍔部５９にはコイル端子用保持部６８が一体成形され、そこにはコイル端子６９がそれぞれ圧入されている。各コイル端子６９の上端部にはコイル６２の両端部がそれぞれ巻き付けられて半田付けされるようになっている。
【００４１】
（１−４．可動鉄片５）
可動鉄片５は、磁性板材をプレス加工することにより中間部分で屈曲させたものである。可動鉄片５の一端側は鉄心６３の磁極部６４に吸引される被吸引部５ａで、屈曲部分から他端側に向かって開口部７０が形成され、その先端部分には幅狭の押圧部７１が形成されている。開口部７０には、ヨーク６５に加締固定した板バネ６６が挿通し、板バネ６６の係止部６７が係止されることにより、可動鉄片５が電磁石ブロック３に取り付けられるようになっている。この取付状態では、可動鉄片５は、ヨーク６５の他端側下縁を支点として回動可能となる。
【００４２】
（１−５．カード６）
カード６は、図９に示すように、合成樹脂材料を成形加工することにより平面視略矩形状の板状体としたものである。
【００４３】
カード６の一端部には支軸７２が形成されている。支軸７２には、２箇所に外径寸法が大きくなった軸部７３が形成され、この軸部７３がベース１の支持凹部３６に回転可能に支持される。また、支軸７２の一端部には突起７４が形成されている。突起７４は、カード６が誤って表裏逆でベース１に取り付けられることを防止するためのものである。つまり、ベース１の側方からカード６を装着する際、突起７４側から支持凹部３６内には支軸７２を挿入できないようになっている。
【００４４】
カード６の上面中央部には押圧受部７５が形成されている。押圧受部７５は、両側部から中央部に向かって徐々に上方に向かって突出する略三角形形状である。押圧受部７５の上端部は円弧状に形成され（平坦面を有していても良い。）、可動鉄片５の押圧部７１によって押圧可能となっている。
【００４５】
カード６の下面には、押圧突条部７６が形成されている。押圧突条部７６は、カード６の一方の側縁から他方の側縁に向かって中央部まで延びている。押圧突条部７６の一方の側縁部下面には抜止用突部７７が形成されている。抜止用突部７７は、側縁側から徐々に突出する傾斜面７７ａを有し、ベース１にカード６を装着した状態で、可動接点端子５３の接触片部５７を案内し、装着後は、可動接点端子５３が側方に移動することを防止する。また、押圧突条部７６の中央部下面には、可動接点端子５３の接触片部５７の中心位置を押圧可能な押圧用突部７８が形成されている。
【００４６】
カード６の一方の側縁部には切欠部６ａが形成されている。切欠部６ａは、前記突起７４と同様に、カード６が誤った方向に装着されることを防止するためのものである。誤った方向で挿入すると、カード６の側縁部がベースの誤装着防止用突出部３７に当接し、それ以上は挿入できなくなる。
【００４７】
カード６の他端（自由端）側は屈曲しており、押圧突条部７６が形成される平面部に対して平行な平面内に位置のずれた逃がし用屈曲部７９が形成されている。つまり、カード６をその上面が支持凹部３６に至る傾斜面３６ａに当接するまで回動させた場合、カード６を単純に平坦な形状とする場合に比べて、自由端側の位置を上方側に位置させることができる。
【００４８】
これにより、可動接点端子５３の可動接点５８の離間位置（固定接点５５から離間した初期位置）を十分に上方側へと位置させ、接点間距離を大きく取ったとしても、カード６の支軸７２の位置を変更することなく、可動接点端子５３とカード６との干渉を回避することができる。つまり、接点間距離を十分に確保し、規定の絶縁性を確保することが可能となる。また、カード６は、押圧突条部７６よりも先端側で屈曲されているので、押圧用突部７８による可動接点端子５３の接触片部５７の押圧位置及び押圧角度が屈曲による影響を受けない。つまり、従来同様、最適な位置及び角度で押圧することができる。さらに、カード６をベース１に組み付ける際、可動接点端子５３の接触片部５７を大きく変形させる必要がなく、作業性に優れている。
【００４９】
（２．組立方法）
続いて、前記構成からなる電磁継電器の組立方法について説明する。
【００５０】
まず、ベース１の第１空間部７にＹ方向へと接点機構部２を組み付ける。すなわち、固定接点端子５２をベース１の固定接点端子取付部１５に圧入する。また、可動接点端子５３を可動接点端子取付部１６に圧入する。これら接点端子５２、５３の圧入では、各接点端子取付部１５、１６の入口側に、各天井壁２０ｂ、１９ａ、１３ａの傾斜面、突条部２１、２２、２５、２９、３０、３１の傾斜面２１ａ、２２ａ、２５ａ、２９ａ、３０ａ、３１ａが形成されているため、各接点端子５２、５３を対応する各接点端子取付部１５、１６にスムーズに挿入することができる。そして、接点端子５２、５３をさらに押し込んで行くと、固定接点端子５２は、突条部２１、２２、２５に乗り上がって下面を支持され、その後、上面には天井壁２０ｂ、１９ａが圧接する。可動接点端子５３は、突条部２９、３０、３１に乗り上がって下面を支持され、その後、上面には天井壁１３ａが圧接する。
【００５１】
このように、ベース１に装着する各接点端子５２、５２では、まず、下面が突条部２１、２２、２５、２９、３０、３１によって支持され、その後、上面が天井壁２０ｂ、１９ａ、１３ａに圧接する。そして、圧入によりベース１を構成する樹脂が削れたとしても、それは天井壁２０ｂ、１９ａ、１３ａとなる。したがって、突条部２１、２２、２５、２９、３０、３１による支持位置が基準位置となる。
【００５２】
次に、ベース１のカード支持部１７に側方からＹ方向へとカード６を組み付ける。カード６は、支軸７２を支持凹部３６内に挿入することにより行う。このとき、カード６が正しい方向で挿入されなければ、突起７４が支持凹部３６の入口部分に当接する。したがって、カード６の組付方向を誤ることがない。そして、カード６を正しい方向で挿入すると、可動接点端子５３の接触片部５７の縁にカード６の下面に形成した抜止用突部７７が当接し、接触片部５７を徐々に弾性変形させる。抜止用突部７７の突出寸法は十分に大きく、しかも徐々に高くなるように傾斜面７７ａを有している。このため、先に組み付けた可動接点端子５３が邪魔になることもなく、カード６をスムーズに組み付けることができる。その後、抜止用突部７７が接触片部５７を乗り越え、接触片部５７が形状復帰して押圧用突部７８に当接する。また、カード６の押圧受部７５には可動鉄片５の押圧部７１が当接し、可動鉄片５はカード６を介して可動接点端子５３の接触片部５７の付勢力を受け、被吸引部が鉄心６３の磁極部６４から離間した状態となる。
【００５３】
さらに、予め組み立てた電磁石ブロック３に、板バネ６６を利用して可動鉄片５を組み付ける。そして、電磁石ブロック３及び可動鉄片５を、ベース１の第２空間部８に側方からＹ´方向へと組み付ける。このとき、ヨーク６５の一方の側縁部が電磁石用第３突条部４８、電磁石用第４突条部４９及び電磁石用第５突条部５０の傾斜面４８ａ、４９ａ、５０ａによって最も突出した円弧部分の当接位置へと導かれた後、上方側に位置する電磁石用第１突条部４３及び電磁石用第２突条部４４との間に圧入する。
【００５４】
このようにして、ベース１に対して接点機構部２、電磁石ブロック３及びカード６を組み付けた状態では、ベース１を、第１空間部７が開口する側から見て、接点機構部２だけでなく、第１窓部４１及び第２窓部４２を介して電磁石ブロック３のヨーク６５の位置をも確認することができる。つまり、従来同時には確認できなかった接点機構部２と電磁石ブロック３の位置を同方向から同時に確認することができる。したがって、接点機構部２と電磁石ブロック３の位置関係を正確に検出（測定）し、適切な位置関係にあれば精度保証することができ、そうでなければ修正を指示したり、破棄したりする等、適切な処置を施すことができる。なお、場合によっては、接点機構部２と電磁石ブロック３の位置関係は、第２空間部８が開口する側から電磁石ブロック３を確認し、開口部１４ａを介して接点機構部２を確認することも可能である。
【００５５】
最後に、ベース１にケース４を被せた後、ベース１の下面側をシールすることにより電磁継電器の組立作業が完了する。
【００５６】
なお、カード６は後述する電磁石ブロック３を組み付けた後に組み付けてもよい。この場合、カード６の押圧受部７５と押圧突条部７６とが傾斜面を有しているので、可動鉄片５と可動接点端子５３の接触片部５７との間をわざわざ押し広げることなく、ベース１にカード６を押し込むだけで簡単に組み付けることが可能である。
【００５７】
（３．動作）
次に、前記構成からなる電磁継電器の動作について説明する。
【００５８】
コイル６２に通電しておらず、電磁石ブロック３が消磁状態であれば、可動鉄片５は可動接点端子５３の接触片部５７の弾性力によって押し上げられたカード６を介して付勢される。したがって、可動鉄片５は、その被吸引部を鉄心６３の磁極部６４から離間させた状態に維持される。これにより、可動接点端子５３の可動接点５８は、固定接点端子５２の固定接点５５から離間した状態を維持する。
【００５９】
コイル６２に通電して電磁石ブロック３を励磁すると、可動鉄片５の被吸引部５ａが鉄心６３の磁極部６４に吸引され、可動鉄片５が回動する。可動鉄片５の回動により、その押圧部７１がカード６の押圧受部７５を押圧し、カード６が押し下げられる。カード６は、支持凹部３６に支持された支軸７２を中心として回動し、押圧用突部７８によって可動接点端子５３の接触片部５７を弾性変形させる。これにより、可動接点５８が固定接点５５に閉成する。
【００６０】
押圧用突部７８によって押圧する接触片部５７の位置及び角度は、接触片部５７を弾性変形させるのに適した位置及び角度に設定されている。すなわち、押圧位置は、可動鉄片５の回動に伴うカード６の回動により、押圧用突部７８の移動寸法が固定接点５５に対して可動接点５８を所望圧で閉成できる値となるような位置に設定されている。また、水平位置に位置するカード６の下面から下方に向かって直角に延びる押圧用突部７８と、接触片部５７との成す角度は、接触片部５７が変形する際、押圧位置が大きく変化することのない角度に設定されている。
【００６１】
コイル６２への通電を遮断して電磁石ブロック３を消磁すると、鉄心６３の磁極部６４により可動鉄片５の被吸引部を吸引する磁力が消失する。これにより、可動鉄片５によって押し下げられていたカード６が移動可能な状態となり、接触片部５７が弾性力によって元の形状に復帰し、可動接点５８が固定接点５５から開放する。
【００６２】
（４．他の実施形態）
なお、本発明は、前記実施形態に記載された構成に限定されるものではなく、種々の変更が可能である。
【００６３】
前記実施形態では、２箇所に窓部を設けるようにしたが、１箇所でもよい。また、窓部は第２側壁４０に設けるようにしたが、第１側壁１４に設けることも可能である。要は、電磁石ブロック３と接点機構部２とを同時に一方向から確認するための窓部が形成されていればよい。
【００６４】
前記実施形態では、ベース１の第２空間部８に電磁石ブロック３のヨーク６５を圧入するようにしたが、ヨーク６５以外の部品を圧入可能としてもよい。例えば、電磁石ブロック３のスプール６０の一部（鍔部５９の一部を延設して形成した圧入部等）を圧入可能としてもよい。
【００６５】
前記実施形態では、ベース１に、一端側から他端側に延びる断面円弧状の複数の突条部を形成するようにしたが、突条部に限らず、複数の突起で構成することも可能である。要は、接点機構部２や電磁石ブロック３を支持する基準となる位置を得られる構造であればよい。
【符号の説明】
【００６６】
１…ベース
１ａ…溝部
２…接点機構部
３…電磁石ブロック
４…ケース
５…可動鉄片
５ａ…被吸引部
６…カード
６ａ…切欠部
７…第１空間部
８…第２空間部
９…仕切壁
１０…操作孔
１１…底壁
１１ａ…切欠
１２…第１端壁
１３…第２端壁
１３ａ…天井壁
１４…第１側壁
１４ａ…開口部
１４ｂ、１４ｃ…ガイド溝
１４ｄ…傾斜面
１５…固定接点端子取付部
１６…可動接点端子取付部
１７…カード支持部
１８…第１圧入受部
１９…第２圧入受部
１９ａ…天井壁
２０…ガイド部
２０ａ…起立壁
２０ｂ…天井壁
２１…端子用第１突条部
２１ａ…傾斜面
２２…端子用第２突条部
２３…第１補助圧入受部
２４…第２補助圧入受部
２５…端子用第３突条部
２６…切欠部
２７…台座部
２８…ガイド壁
２９ａ…傾斜面
２９…端子用第４突条部
３０…端子用第５突条部
３１…端子用第６突条部
３２…第３補助圧入受部
３３…ガイド凹部
３４…第４補助圧入受部
３５…膨出部
３６…支持凹部
３６ａ…傾斜面
３７…誤装着防止用突出部
３８…カード受面
３９…逃がし凹部
４０…第２側壁
４１…第１窓部
４２…第２窓部
４３…電磁石用第１突条部
４４…電磁石用第２突条部
４５…第１ガイド片
４５ａ…傾斜面
４６…第２ガイド片
４７…第１補助ガイド
４８…電磁石用第３突条部
４８ａ…傾斜面
４９…電磁石用第４突条部
５０…電磁石用第５突条部
５１…第２補助ガイド
５２…固定接点端子
５３…可動接点端子
５４…固定端子部
５５…固定接点
５６…可動端子部
５７…接触片部
５８…可動接点
５９…鍔部
６０…スプール
６１…胴部
６１ａ…中心孔
６２…コイル
６３…鉄心
６４…磁極部
６５…ヨーク
６６…板バネ
６７…係止部
６８…コイル端子用保持部
６９…コイル端子
７０…開口部
７１…押圧部
７２…支軸
７３…軸部
７４…突起
７５…押圧受部
７６…押圧突条部
７７…抜止用突部
７７ａ…傾斜面
７８…押圧用突部
７９…逃がし用屈曲部
【要約】
【課題】ベースに組み付ける電磁石ブロックと接点開閉部との位置関係を正確に把握する。
【解決手段】仕切壁９の操作孔１０で連通された第１空間部７及び第２空間部８を有し、第１空間部７は一方の長辺側が開口し、第２空間部８は第１空間部７とは反対の長辺側と仕切壁９の対向面側が開口する合成樹脂材料からなるベース１と、第１空間部７内に配置される固定接点端子５２及び可動接点端子５３を有し、固定接点端子５２の固定接点５５に対して可動接点端子５３の可動接点５８が接離可能に対向する接点機構部２と、第２空間部８に配置され、励磁して可動鉄片５を回動させ、操作孔１０を介して接点機構部２を駆動させる電磁石ブロック３と、第１空間部７内に配置され、可動鉄片５に押圧され、可動接点端子５３側に突出する押圧部７１で可動接点５８よりも支軸７２側を押圧するカード６とを備える。
【選択図】図２【図１】
0004798312.tif 000002
【図２】
0004798312.tif 000003
【図３】
0004798312.tif 000004
【図４】
0004798312.tif 000005
【図５】
0004798312.tif 000006
【図６】
0004798312.tif 000007
【図７】
0004798312.tif 000008
【図８】
0004798312.tif 000009
【図９】
0004798312.tif 000010